(57)【要約】【課題】足場や特殊車両の必要が無い構造躯体の内側からだけで接合部材の点検が済み、橋梁の外側への接合部材の落下のおそれが無く、且つ、外観の見栄えが良い防音壁ユニットを提供する。【解決手段】構造躯体に並設される防音壁ユニット１において、鋼製の左右一対の支柱部材２と、騒音を遮音する鋼板からなる面板３と、を備え、左右一対の支柱部材２は、それぞれ並設される方向に沿って折り返された外側フランジ２１を有し、面板３は、左右の端部が前記構造躯体の内側に袋状に並設される方向に沿って折り返された左右一対の折返し部（３１，３２）を有し、外側フランジ２１と折返し部（３１，３２）が、前記構造躯体の内側から接合部材で止め付けられているとともに、左右一対の折返し部（３１，３２）の端面には、左右非対称の段部又は凹凸が形成され、隣接する左右一対の折返し部（３１，３２）の端面の段部又は凹凸同士を互いに嵌合して面板３の外面が面一となるように構成する。【選択図】図２
2019085754.tif 000002
【特許請求の範囲】
【請求項１】
構造躯体に並設される防音壁ユニットであって、
鋼製の左右一対の支柱部材と、騒音を遮音する鋼板からなる面板と、を備え、
前記左右一対の支柱部材は、それぞれ並設される方向に沿って折り返された外側フランジを有し、
前記面板は、左右の端部が前記構造躯体の内側に袋状に前記並設される方向に沿って折り返された左右一対の折返し部を有し、
前記外側フランジと前記折返し部が、前記構造躯体の内側から接合部材で止め付けられているとともに、
左右一対の前記折返し部の端面には、左右非対称の段部又は凹凸が形成され、
隣接する前記左右一対の折返し部の端面の段部又は凹凸同士が互いに嵌合して前記面板の外面が面一となるように構成されていること
を特徴とする防音壁ユニット。
【請求項２】
前記面板には、上端部が前記構造躯体の内側に袋状に折り返された上折返し部が形成され、
前記左右一対の支柱部材の上部間には、剛性を補強する横梁が架け渡されており、
前記上折返し部は、前記横梁に嵌着されていること
を特徴とする請求項１に記載の防音壁ユニット。
【請求項３】
前記左右一対の支柱部材は、前記外側フランジに加え、それぞれ前記並設される方向に沿って支柱部材間の内側へ折り返された内側フランジを有し、
前記面板の前記構造躯体の内側と前記左右一対の支柱部材の前記内側フランジとの間に、矩形箱状の防音パネルが上方からスライド装着可能に構成されていること
を特徴とする請求項１又は２に記載の防音壁ユニット。
【請求項４】
前記支柱部材の上部には、断面コの字状の上補強材が取り付けられ、
前記防音パネルは、前記上補強材に掛け止められて装着されていること
を特徴とする請求項３に記載の防音壁ユニット。
【請求項５】
前記面板の前記構造躯体の内側には、前記面板の剛性を補強する補強板が配設され、
前記補強板と前記面板との間には、緩衝材が介装されていること
を特徴とする請求項１ないし４のいずれかに記載の防音壁ユニット。
【発明の詳細な説明】
【技術分野】
【０００１】
本発明は、支柱とパネルとが直接連結されて一体となった支柱一体型の防音壁ユニットに関する。
【背景技術】
【０００２】
従来、高架橋の縁に沿った地覆部や高欄基礎などの構造躯体に支柱とパネルとが一体となった防音パネルが立設され、高架橋内の線路や道路から発生する騒音が周囲に漏れるのを防止する防音壁が知られている。
【０００３】
例えば、特許文献１には、鉄筋コンクリート構造物の上面に固定される固定部（１１）と、コンクリート構造物に対して起立するパネル部（１２）と、を備えたプレキャストコンクリート製防音パネル（１）を、前記上面にアンカーボルト（４）によって列状に固定して構成するプレキャストコンクリート製防音壁において、前記上面と固定部（１１）下面との間に、設置方向に沿って止水材（７２）を介在させたことを特徴とするプレキャストコンクリート製防音壁が開示されている（特許文献１の特許請求の範囲の請求項１、明細書の段落［０００５］〜［００２４］、図面の図１，図２、図１５等参照）。
【０００４】
しかし、特許文献１に開示されたプレキャストコンクリート製防音壁は、コンクリート製の防音壁であるため重量が重くクレーンなどの揚重機が無ければ設置が困難であり、狭隘な場所では設置できないだけでなく、コストアップの要因となるという問題があった。また、特許文献１に開示されたプレキャストコンクリート製防音壁は、コンクリート製の防音壁であるため、経年劣化等によりパネル表面が剥離するおそれがあり、剥離片の落下事故が生じるおそれがあるという問題もあった。
【０００５】
また、特許文献２には、防音部（２）と、防音部（２）の下部に設けられた建築物躯体（１４）への取付部（３）を有するＦＲＰ製防音壁（１）であって、防音部（２）は少なくともパネル部（４）を有し、パネル部（４）の単位面積当たりの重量が５ｋｇ／ｍ2以上１０ｋｇ／ｍ2未満である防音壁が開示されている（特許文献２の特許請求の範囲の請求項１、明細書の段落［００１６］〜［００３６］、図面の図１，図２等参照）。
【０００６】
特許文献２に記載の防音壁は、必要な遮音性能を確保しながら軽量性を最大限発揮し、使用材料を最小化することができるため、製造コストを安くすることができるとされている。また、ＦＲＰ製であるため、コンクリート製の防音パネルのように、表面剥離の問題も生じない。
【０００７】
しかし、特許文献２に記載の防音壁は、ＦＲＰ製であるため通常金型が必要であり、通常の１ユニットで収まらない端尺部や、コーナー部、曲面部、勾配部などの特殊部の製造や施工が困難であるという問題があった。
【０００８】
これらのコンクリート製の防音壁の重量が重く表面剥離があるという問題やＦＲＰ製の防音壁の端尺部や、特殊部の製造や施工が困難であるという問題を解決するべく、鋼製の防音壁も提案されている。
【０００９】
例えば、特許文献３には、鋼板からなる防音パネル（壁体１１）と、溝形鋼からなる左右縦材（１２，１３）と、鋼板を組み合わせたベース部材（１４）とを備えており、防音パネル（壁体１１）、左右縦材（１２，１３）及びベース部材（１４）が一体化されている鋼製の防音壁ユニットが開示されている（特許文献３の特許請求の範囲の請求項１、明細書の段落［００２９］〜［００４７］、図面の図１、図２等参照）。
【００１０】
しかし、特許文献３に記載の鋼製の防音壁ユニットは、橋梁の外側（民地側）からリベットなどの接合部材が見えて外観の見栄えが悪いだけでなく、接合部材の点検が橋梁側から行うことが困難であった。また、経年劣化や事故等により接合部材が敷地外となる民地側に落下するおそれがあった。その上、特許文献３に記載の鋼製の防音壁ユニットは、支柱である左右縦材（１２，１３）と、防音パネル（壁体１１）に段差があり、その点でも見栄えが悪いだけでなく、塗装など外観の装飾を施す際に、各部材をそれぞれ装飾しなければならず、各部材の色合わせなど装飾に手間が掛かるという問題もあった。
【先行技術文献】
【特許文献】
【００１１】
【特許文献１】特開２００１−４０６２０号公報
【特許文献２】特開２０１３−２０４２３４号公報
【特許文献３】特開２０１５−１０４５２号公報
【発明の概要】
【発明が解決しようとする課題】
【００１２】
そこで、本発明は、前述した問題に鑑みて案出されたものであり、その目的とするところは、足場や特殊車両の必要が無い構造躯体の内側からだけで接合部材の点検が済み、構造躯体の外側への接合部材の落下のおそれが無く、且つ、外観の見栄えが良い防音壁ユニットを提供することにある。
【課題を解決するための手段】
【００１３】
第１発明に係る防音壁ユニットは、構造躯体に並設される防音壁ユニットであって、鋼製の左右一対の支柱部材と、騒音を遮音する鋼板からなる面板と、を備え、前記左右一対の支柱部材は、それぞれ並設される方向に沿って折り返された外側フランジを有し、前記面板は、左右の端部が前記構造躯体の内側に袋状に前記並設される方向に沿って折り返された左右一対の折返し部を有し、前記外側フランジと前記折返し部が、前記構造躯体の内側から接合部材で止め付けられているとともに、左右一対の前記折返し部の端面には、左右非対称の段部又は凹凸が形成され、隣接する前記左右一対の折返し部の端面の段部又は凹凸同士が互いに嵌合して前記面板の外面が面一となるように構成されていることを特徴とする。
【００１４】
第２発明に係る防音壁ユニットは、第１発明において、前記面板には、上端部が前記構造躯体の内側に袋状に折り返された上折返し部が形成され、前記左右一対の支柱部材の上部間には、剛性を補強する横梁が架け渡されており、前記上折返し部は、前記横梁に嵌着されていることを特徴とする。
【００１５】
第３発明に係る防音壁ユニットは、第１発明又は第２発明において、前記左右一対の支柱部材は、前記外側フランジに加え、それぞれ並設される方向に沿って支柱部材間の内側へ折り返された内側フランジを有し、前記面板の前記構造躯体の内側と前記左右一対の支柱部材の前記内側フランジとの間に、矩形箱状の防音パネルが上方からスライド装着可能に構成されていることを特徴とする。
【００１６】
第４発明に係る防音壁ユニットは、第３発明において、前記支柱部材の上部には、断面コの字状の上補強材が取り付けられ、前記防音パネルは、前記上補強材に掛け止められて装着されていることを特徴とする。
【００１７】
第５発明に係る防音壁ユニットは、第１発明〜第４発明のいずれかの発明において、前記面板の前記構造躯体の内側には、前記面板の剛性を補強する補強板が配設され、前記補強板と前記面板との間には、緩衝材が介装されていることを特徴とする。
【発明の効果】
【００１８】
第１発明〜第５発明によれば、面板の隣接する左右の端面の段部又は凹凸同士が互いに嵌合して面板の外面が面一となるように構成されているので、民地側となる構造躯体の外側から見た場合、支柱部材を完全に隠蔽することができる。また、隣接する面板同士の間に隙間がないため、遮音性及び耐久性が向上する。その上、支柱部材と面材の接合部分である外側フランジと折返し部は、構造躯体の内側から接合部材で止め付けられているので、足場や特殊車両の必要が無い構造躯体の内側からだけで接合部材の点検が済むうえ、構造躯体の外側への接合部材の落下のおそれが無い。さらに、外側から見た場合、支柱部材が面板で隠蔽された上、面板の外面が面一となっているので、意匠性が向上し、外観の見栄えが良好である。
【００１９】
それに加え、第１発明〜第５発明によれば、鋼製の防音壁ユニットであるので、コンクリート製の防音壁と比べて軽量であり、設置が容易（施工性が良好）であるとともに、表面剥離の問題も生じない。
【００２０】
特に、第２発明によれば、上折返し部が横梁に嵌着されているので、面板と横梁が一体化され、防音壁ユニットの曲げ剛性やねじり剛性を向上させることができる。それに加え、横梁が、補強板の屋根代わりとなるため、補強板に対する防水効果が向上する。さらに、横梁等が、全て面板内に収まるため、収まりが良くい意匠性が向上する。その上、構造躯体の外側から見た場合、ボルトやリベットなどの接合部材を完全に面板の内側へ隠蔽することが可能となる。このため、接合部材が外部へ落下するおそれを完全に払拭することができる。
【００２１】
特に、第３発明によれば、面板の構造躯体の内側と左右一対の支柱部材の内側フランジとの間に、防音パネルが上方からスライド装着可能に構成されているので、内側フランジにより支柱部材により剛性を向上させることができるだけでなく、防音壁設置後のさらなる音環境改善のために防音パネルを増設することが可能となる。その上、防音パネルが内側フランジで掛け止められるため、防音パネルが外れて構造躯体内の軌道や道路に倒れたり落下したりするおそれもない。
【００２２】
特に、第４発明によれば、上補強材が取り付けられ、防音パネルがこの上補強材に掛け止められているので、上補強材により防音壁ユニットの上部構造の強度が向上するだけでなく、防音パネルの装脱がさらに容易となり、防音壁設置後の音環境改善も容易となる。また、防音パネルが外れて構造躯体内の軌道や道路に倒れたり落下したりするおそれをさらに低減することができる。
【００２３】
特に、第５発明によれば、補強板が配設され、補強板と面板との間には、緩衝材が介装されているので、補強板で防音壁ユニットの曲げ剛性やねじり剛性を向上させることができるだけでなく、振動や風などにより補強板と面板とが接触する際の接触音を抑制することができる。それに加え、面板に緩衝材が介装された上、補強板が追加されるので、遮音性能が向上する。
【図面の簡単な説明】
【００２４】
【図１】本発明の実施形態に係る防音壁ユニットを構造躯体である橋梁の内側から見た内側斜視図である。
【図２】同上の防音壁ユニットの構成を示す分解斜視図である。
【図３】同上の防音壁ユニットを橋梁の外側から見た外側斜視図である。
【図４】同上の防音壁ユニットを並設した防音壁を示す外側斜視図である。
【図５】同上の防音壁ユニットの概略構成を中間省略した水平断面で示す模式図である。
【図６】同上の防音壁ユニットの隣接する面板同士の係合部分を拡大して模式的に示す部分拡大水平断面図である。
【図７】図１の防音壁ユニットを橋梁の内側から見た正面図である。
【図８】同上の防音壁ユニットを橋梁の外側から見た背面図である。
【図９】同上の防音壁ユニットを並設される橋軸方向に見た側面図である。
【図１０】同上の防音壁ユニットを示す平面図である。
【図１１】図７の防音壁ユニットを示すＡ−Ａ線断面図である。
【図１２】図７の防音壁ユニットを示すＢ−Ｂ線断面図である。
【図１３】同上の防音壁ユニットの防音パネルの装着状況を示す斜視図である。
【図１４】同上の防音パネルの単体を示す正面図である。
【図１５】同上の防音壁ユニットの防音パネルを装着した状態を示す正面図である。
【発明を実施するための形態】
【００２５】
以下、図面を参照しながら本発明の実施形態に係る防音壁ユニットについて詳細に説明する。
【００２６】
先ず、図１〜図１２を用いて、後述の防音パネルを装着していない状態の本発明の実施形態に係る防音壁ユニットについて説明する。なお、防音壁ユニットを構造躯体である橋梁の高欄として設置する場合を例示して説明する。
【００２７】
図１は、本発明の実施形態に係る防音壁ユニット１を橋梁の内側から見た内側斜視図であり、図２は、防音壁ユニット１の構成を示す分解斜視図である。また、図３は、防音壁ユニット１を示す外側斜視図であり、図４は、複数の防音壁ユニット１を並設した防音壁１０を示す外側斜視図である。
【００２８】
図５は、防音壁ユニット１の概略構成を中間省略した水平断面で示す模式図であり、図６は、防音壁ユニット１の隣接する面板３同士の係合部分を拡大して模式的に示す部分拡大水平断面図である。
【００２９】
そして、図７は、防音壁ユニット１を橋梁の内側から見た正面図（構造躯体である橋梁の内側から見える面を正面とする。以下同じ）であり、図８は、防音壁ユニット１の背面図である。図９は、防音壁ユニット１を並設する橋軸方向に見た側面図であり、図１０は、その平面図である。図１１は、図７のＡ−Ａ線断面図、図１２は、図７のＢ−Ｂ線断面図である。
【００３０】
本実施形態に係る防音壁ユニット１は、図７〜図９、図１１に示すように、鉄道橋や道路橋などの橋梁Ｂ１の縁に沿って高欄として橋梁Ｂ１の地覆部などの構造躯体に設置される。図４に示すように、この防音壁ユニット１は、複数の防音壁ユニット１が橋梁Ｂ１の縁に沿って並設され、橋梁Ｂ１内となる線路や道路から発生する騒音が周囲に漏れるのを防止する防音壁１０を構成するものである。
【００３１】
本実施形態に係る防音壁ユニット１は、図１〜図３に示すように、支柱である支柱部材２とパネルである面板３とが直接連結されて一体となった支柱一体型の防音壁ユニットである。
【００３２】
なお、ここで支柱一体型とは、従来の防音壁のように、橋梁の地覆部に立設されたＨ形鋼や溝形鋼などからなる鋼製支柱のフランジ間に、防音パネルが複数段に亘り嵌め込まれた防音壁ではなく、支柱部材と面板とが直接連結されて一体となり１枚のパネルユニットを構成する防音壁を指している。
【００３３】
図２に示すように、本実施形態に係る防音壁ユニット１は、左右一対の支柱部材２と、騒音を遮音する面板３を備えている。それに加え、防音壁ユニット１は、面板３の剛性を補強する補強板４と、支柱部材２間に架け渡された上下一対の横梁５，６と、横梁５と支柱部材２との接合部分を補強する上補強材７と、支柱部材２の下部を固定する下部固定部材８など、も備えている。
【００３４】
（支柱部材）
支柱部材２は、防音壁ユニット１の左右の両端に位置する水平断面がＺ字状となった左右一対の鋼材であり、その断面性能で風荷重等の外力に対抗する防音壁ユニット１の支柱としての機能を有している。
【００３５】
図５、図６、図１２に示すように、この支柱部材２は、ウェブ２０と、このウェブ２０の外端が防音壁ユニット１が並設される方向に沿って外側に折り返された外側フランジ２１と、ウェブ２０の内端が並設される方向に沿って内側に折り返された内側フランジ２２など、から構成されている。なお、並設される方向に沿って外側又は内側とは、同一の防音壁ユニット１の支柱部材２同士を基準に離れる方向が外側で近づく方向が内側という（以下、同様）。
【００３６】
このウェブ２０は、外側フランジ２１と内側フランジ２２ともに支柱部材２が支柱としての断面強度を確保するための幅を必要とし、後述の防音パネル９を収容する空間を作るために設定されている。また、外側フランジ２１は、支柱としての断面強度を確保するための幅を必要とし、後述の面板３とリベットやビス等の接合で内側から固定されることを目的として設定されている。同様に、内側フランジ２２も、断面強度の確保のための幅を必要とし、後述のように、面板３や防音パネル９を掛け止める機能も有している。
【００３７】
図５に示すように、支柱部材２の外側フランジ２１に、後述の面板３の左折返し部３１，右折返し部３２に接合されることで、支柱部材２が面板３を支持し、支柱としての機能を果たしている。
【００３８】
また、図１、図２、図７に示すように、内側フランジ２２は、作用する曲げモーメントが大きくなる橋梁Ｂ１の地覆部に近い下端付近の幅が広くなっている。このように、作用する曲げモーメントが大きくなる部分だけ断面性能をアップし、その他の部分の幅を狭くすることで、必要な断面剛性を確保するとともに、部材の軽量化を達成している。
【００３９】
この内側フランジ２２が、後述の下部固定部材８を介してアンカーボルトＡＢに固定されることで、支柱部材２が橋梁Ｂ１に固定されている。
【００４０】
なお、支柱部材２の水平断面としてＺ字状のものを例示して説明したが、支柱部材２の水平断面は、Ｚ字状に限られるものではなく、外力に対抗することができるとともに、前述の目的を達成することができる断面であればどのような形状であっても良い。また、一対の支柱部材２は、それぞれ非対称とすることもできる。但し、支柱部材２の内側フランジ２２は、後述のように、面板３や防音パネル９の脱落防止のために、並設される方向に沿って内側に折り返されていることが好ましい。
【００４１】
（面板）
本実施形態に係る面板３は、図２、図３、図８に示すように、厚さ１．６ｍｍ×幅１．０ｍ×高さ１．５ｍ程度の水平視長方形（矩形）状の高耐食性めっき鋼板からなる面板本体３０を基体としている。この面板３は、図２、図５、図１２に示すように、面板本体３０の左右の端部が内側に折り返された左右一対の折返し部が形成されている。正面（内側）から見て左端に位置するのが左折返し部３１であり、右端に位置するのが右折返し部３２である。
【００４２】
図１、図３、図５に示すように、これらの左折返し部３１と右折返し部３２は、いずれも並設される方向（橋軸方向）に沿うように、面板本体３０の板面から袋状に１８０度折り返された形状となっている。また、左折返し部３１と右折返し部３２の端面は、左右非対称の段部が形成され、図６に示すように、隣接する面板３同士が、互いに嵌合し、面板本体３０に対して垂直な方向へのズレが生じない構成となっている。このため、防音壁１０全体での風荷重への対抗力が向上し、防音壁１０の耐久性が向上する。
【００４３】
その上、図４、図６に示すように、隣接する左折返し部３１と右折返し部３２とが互いに嵌合した状態でも、並設された複数の面板３の外面同士に段差が無く面一となるように構成されている。このため、民地側となる橋梁の外側から見た場合、支柱部材２を完全に隠蔽することができ、意匠性が極めて良く、外観の見栄えが良好である。
【００４４】
また、外側から見た場合、支柱部材２を完全に隠蔽することができるため、民地への反射光対策やデザイン性向上等のために、防音壁１０の外部に塗装などの装飾を施す場合も、面板３の面板本体３０の外面だけ装飾すればよく、極めて経済的である。例えば、図８に示すように、面板３の外面片面だけを、鋼板にフッ素樹脂フィルム等が接着、積層された樹脂フィルムラミネート鋼板とすることにより、耐久性、耐候性が高く、且つ、デザイン性の高いものとすることができる。
【００４５】
なお、本実施形態に係る面板３として、左折返し部３１と右折返し部３２の端面に段部が形成されて互い嵌合するものを例示したが、左右一対の折返し部の端面に、雄雌の凹凸が形成され、隣接する面板同士の凹凸が互いに嵌合するものであっても構わない。要するに、左右一対の折返し部の端面が、左右非対称で隣接する面板３同士が互いに嵌合するものであればよい。
【００４６】
それに加え、図２、図７等に示すように、面板３には、面板本体３０の上下の端部から一部の鋼板が突出して断面コの字状に内側に折り返された上下一対の折返し部が形成されている。上端に位置するのが上折返し部３３であり、下端に位置するのが下折返し部３４である。
【００４７】
上折返し部３３の断面コの字状の内部に、後述の横梁５が挿通されて嵌着され、下折返し部３４の内部に後述の横梁６が挿通されて嵌着され、内側からリベットＲＢやボルトやなど接合部材で固定されている。このように、面板３は、防音壁ユニット１のフレームを構成する支柱部材２及び横梁５，６を覆う形で折返し部で嵌着させて、内側から接合部材で固定されている。このため、防音壁ユニット１の曲げ剛性やねじり剛性が向上する。また、横梁６が、後述の補強板４の屋根代わりとなるため、補強板４に対する防水効果が向上する。
【００４８】
それに加え、図５に示すように、面板３と支柱部材２との接合は、接合部材として例示するリベットＲＢでの内側からのみの作業で接合が可能な上、接合部材の劣化具合の点検が足場や特殊車両の必要が無い橋梁の内側からだけで済む。また、リベットＲＢの外部側を面板３で覆っている構成であるため、事故や経年劣化により万が一リベットＲＢの頭などの接合部材の一部が断裂して破損してしまったような場合であっても、それらの破片が橋梁の外側へ落下するおそれが無い。このため、極めて安全である。
【００４９】
（補強板）
補強板４は、厚さ０．６ｍｍの高耐食性めっき鋼板から折り曲げ加工されて、幅１．０ｍ×高さ１．５ｍ程度の水平視長方形（矩形）状の部材である。この補強板４は、図２に示すように、面板３の内側に配設され、面板３の剛性を補強するとともに、遮音性能を補完する機能を有している。
【００５０】
この補強板４は、図２、図７、図１２に示すように、平板部４０と、その平板部４０の中央に剛性を高めるためるために縦方向に形成された断面台形状の凸条部４１と、支柱部材２と接合するために平板部４０の左右の両端が内側に折り曲げられた側片部４２など、から構成されている。
【００５１】
また、補強板４と面板３との間には、接合テープなどの樹脂シート（樹脂フィルム）や繊維マットなどの繊維材からなる緩衝材（図示せず）が介装されている。緩衝材が介装されていることにより、振動や風などにより補強板４と面板３とが接触する際の接触音を抑制することができる。
【００５２】
それに加え、補強板４で防音壁ユニット１の曲げ剛性やねじり剛性を向上させることができるだけでなく、面板３に緩衝材が介装された上、補強板４が追加されるので、遮音性能も向上する。なお、側片部４２は、ウェブ２０(支柱部材２)とリベット留め等で、補強板４を面板３に固定することもできる。
【００５３】
（横梁）
横梁５，６は、図１、図２、図７等に示すように、前述の支柱部材２に上端及び下端に架け渡されて、防音壁ユニット１のフレームを構成する断面コの字状の鋼材であり、いずれも水が溜まらないように、断面上の開口端が下向きに取り付けられている。
【００５４】
また、この横梁５には、前述のように、面板３の上折返し部３３が外嵌・嵌着されて接合部材で固定され、横梁６には、下折返し部３４が外嵌・嵌着されて接合部材で固定されている。
【００５５】
（上補強材）
上補強材７は、図１、図２、図１０に示すように、断面コの字状の鋼材であり、開口端を上に装着された一側片が支柱部材２の内側フランジ２２に接合部材で接合され、他の側片が横梁５に接合部材で接合されている。この上補強材７は、支柱部材２と横梁５の接合部分を補強し、支柱部材２同士のねじれを防止する機能を有している。
【００５６】
上補強材７を設けることにより、防音壁ユニット１の上部構造の強度が向上するだけでなく、後述の防音パネルを掛け止める機能も有している。
【００５７】
なお、この上補強材７には、吊りフックやアイボルトを装着するなど、防音壁ユニット１を揚重機で吊上げる際のワイヤロープ等を掛け止める吊り部材（図示せず）を取り付けることが好ましい。揚重機で吊上げが容易となるからである。
【００５８】
（下部固定部材）
下部固定部材８は、図２、図１１等に示すように、支柱部材２の下部をアンカーボルトＡＢに固定するための部材であるベースプレート８０と、このベースプレート８０を地覆部に押え付ける押え金具８１と、横梁６を補強する裏補強材８２など、から構成されている。
【００５９】
ベースプレート８０は、図２、図１１に示すように、高耐食性めっき鋼板からなる厚さ６．０ｍｍ程度の鋼板を折り曲げ加工して断面コの字状のプレート本体８０ａとし、そのプレート本体８０ａに２枚の補強リブ８０ｂが形成された部材である。また、このプレート本体８０ａの底面プレートには、アンカーを挿通する２つのアンカー孔８０ｃが穿設されている。このアンカー孔８０ｃは、アンカーボルトＡＢとの位置調整のため長孔となっている。
【００６０】
なお、ベースプレート８０に作用する曲げ応力は、アンカーボルトＡＢに作用する引張力に補強リブ８０ｂまでの距離となるので、補強リブ８０ｂをアンカーボルトＡＢに近づけるため、長孔となっているアンカー孔８０ｃの直近に補強リブ８０ｂが取り付けられている。補強リブ８０ｂのプレート本体８０ａへの取付は、接合部材での接合でも溶接接合でもいずれでも構わない。
【００６１】
押え金具８１は、図２等に示すように、ベースプレート８０内に収まる大きさの厚さ１２ｍｍ程度の長方形（矩形）状の溶融亜鉛めっき鋼板からなる。この押え金具８１は、応力が集中するアンカーボルトＡＢ付近を別部材としてベースプレート８０や支柱部材２などを薄板化して防音壁ユニット１全体の軽量化を図るために設けられた部材である。なお、下部固定部材の板厚が１２ｍｍ以上の場合は、押え金具８１は必ずしも必要ない。
【００６２】
裏補強材８２は、図２等に示すように、高耐食性めっき鋼板からなる厚さ４．５ｍｍ程度の鋼板を折り曲げ加工して、上部が開放された断面コの字状に形成した鋼材である。この裏補強材８２は、支柱部材２と横梁６との接合部分の横梁６内に装着され、ベースプレート８０からの伝達応力で横梁６の断面コの字状の開口端が潰れないように補強する機能を有している。勿論、横梁６の剛性が高く強度的に裏補強材８２が必要ない場合は、設けなくても良いことは云うまでもない。
【００６３】
（防音パネル）
次に、図１３〜図１５を用いて、防音壁ユニット１のオプション部材である防音パネル９について説明する。
【００６４】
そもそも、防音壁ユニット１は、吸音材が無くても単独で鋼板の重さによる重量則で透過損失を大きくして遮音する単層の遮音壁を構成する。しかし、本実施形態に係る防音壁ユニット１は、防音効果を高めるとともに、設置後の近隣の住民苦情時の対策を可能とするため、防音パネル９を嵌め込んで、その中に吸音材や遮音材を追加可能とするものである。
【００６５】
図１３は、防音壁ユニット１に防音パネル９の装着状況を示す斜視図である。また、図１４は、防音パネル９の単体を示す正面図であり、図１５は、防音壁ユニット１に防音パネル９を装着した状態を示す正面図である。
【００６６】
図１３〜図１５に示すように、防音パネル９は、０．６ｍｍ厚程度のステンレス鋼板に多数の孔が穿設されたパンチングメタルからなる縦長な長方形（矩形）箱状の筐体９０を備え、この筐体９０内に吸音材や遮音材などの防音材が装填可能となっている。この防音パネル９は、図１３に示すように、防音壁ユニット１の２本の支柱部材２間の内側フランジ２２と横梁５との間の空間に、上方からスライド装着されてリベットＲＢなどの接合部材で固定される。このため、防音壁ユニット１の設置後に後から追加で防音パネル９が設置できる構成となっているだけでなく、内側フランジ２２があるため、橋梁内側の軌道や道路へ防音パネル９が外れる事故を防止することができる。
【００６７】
また、装填する吸音材としては、発泡ポリウレタンフォームなどの発泡樹脂やグラスウールなどの繊維材が好適に用いられ、筐体９０の孔を通過した騒音を乱反射して減衰することにより吸音する材料であれば適宜用いられるものである。なお、吸音材の代わりに鋼板などの重量則で遮音する遮音材を装着してもよい。また、吸音材と遮音材の両方を装着しても良い。このように、吸音材のみ、遮音材のみ、吸音材と遮音材を追加するなど防音材の様々な対応で装着可能である。
【００６８】
その上、この防音パネル９には、図１３、図１４に示すように、筐体９０の上面に、左右の端部が断面Ｌ字状に折り曲げ加工された係合プレート９１が取り付けられている。この係合プレート９１は、図１３に示すように、前述の支柱部材２の上端付近に取り付けられた上補強材７に掛け止められる構成となっている。このため、事故などで万が一、接合部材が破断したような場合でも、民地側だけでなく橋梁内側の軌道や道路へ防音パネル９が外れる事故を確実に防止することができる。
【００６９】
このように、防音壁ユニット１に防音パネル９が後付け可能な構成となっているため、防音壁１０の設置後の音環境に応じて防音パネル９を増設することが可能となる。その上、防音パネル９が内側フランジ２２で掛け止められるため、防音パネルが外れて橋梁内の軌道や道路に倒れたり落下したりするおそれもない。
【００７０】
以上説明した本発明の実施形態に係る防音壁ユニット１によれば、民地側となる橋梁の外側から見た場合、支柱部材２を完全に面板３で隠蔽することができるとともに、連接した複数の面板３の外面が面一とすることができる。このため、意匠性が向上し、外観の見栄えが良好である。また、隣接した面板３同士の間に隙間がないため、遮音性及び耐久性が向上する。
【００７１】
その上、防音壁ユニット１によれば、支柱部材２と面板３の接合部分である外側フランジ２１と折返し部（左折返し部３１，右折返し部３２）が、橋梁の内側からリベットＲＢなどの接合部材で止め付けられている。このため、足場や特殊車両の必要が無い橋梁の内側からだけで接合部材の点検が済むうえ、橋梁の外側への接合部材の落下のおそれが無い。
【００７２】
それに加え、防音壁ユニット１は、鋼製であるので、コンクリート製の防音壁と比べて、軽量であり、設置が容易（施工性が良好）であるとともに、表面剥離の問題も生じない。また、ＦＲＰ製の防音壁と比べても、端尺部や特殊部の製造が容易であり、損傷した場合の補修も容易に安価にすることができる。
【００７３】
さらに、防音壁ユニット１の面板３には、上折返し部３３が形成され、他部材である横梁５と嵌着可能に構成されているので、橋梁の外側から見た場合、接合部材を完全に面板の内側へ隠蔽することが可能となる。このため、接合部材が外部へ落下するおそれを完全に払拭することができる。
【００７４】
また、防音壁ユニット１には、２本の支柱部材２間に横梁５，６が架け渡されてフレームを構成しており、このフレームに面板３が外側から嵌着されている構成となっているため、防音壁ユニット１の曲げ剛性やねじり剛性を向上させることができる。
【００７５】
以上、本発明の実施形態に係る防音壁ユニット１について、詳細に説明したが、前術した実施形態は、何れも本発明を実施するにあたっての具体化の例を示したものに過ぎない。よって、前述した実施形態、及び、図示した実施形態により、本発明の技術的範囲が限定的に解釈されてはならないものである。
【００７６】
特に、防音壁ユニット１を並設する構造躯体として橋梁を例示して説明したが、どのような構造躯体にも設置することが可能である。また、防音壁ユニット１を構成する鋼材として、高耐食性めっき鋼板等を例示して説明したが、防音壁ユニット１を構成する鋼材は、高耐食性めっき鋼材に限られず、その他の鋼材にも適用できることは云うまでもない。
【符号の説明】
【００７７】
１：防音壁ユニット
１０：防音壁
２：支柱部材
２０：ウェブ
２１：外側フランジ
２２：内側フランジ
３：面板
３０：面板本体
３１：左折返し部（折返し部）
３２：右折返し部（折返し部）
３３：上折返し部（折返し部）
３４：下折返し部（折返し部）
４：補強板
４０：平板部
４１：凸条部
４２：側片部
５，６：横梁
７：上補強材
８：下部固定部材
８０：ベースプレート
８０ａ：プレート本体
８０ｂ：補強リブ
８０ｃ：アンカー孔
８１：押え金具
８２：裏補強材
９：防音パネル
９０：筐体
９１：係合プレート
Ｂ１：橋梁（構造躯体）
ＡＢ：アンカーボルト
ＲＢ：リベット
【図１】
2019085754.tif 000003
【図２】
2019085754.tif 000004
【図３】
2019085754.tif 000005
【図４】
2019085754.tif 000006
【図５】
2019085754.tif 000007
【図６】
2019085754.tif 000008
【図７】
2019085754.tif 000009
【図８】
2019085754.tif 000010
【図９】
2019085754.tif 000011
【図１０】
2019085754.tif 000012
【図１１】
2019085754.tif 000013
【図１２】
2019085754.tif 000014
【図１３】
2019085754.tif 000015
【図１４】
2019085754.tif 000016
【図１５】
2019085754.tif 000017